(57)【要約】【課題】本発明は、タッチスクリーンを有する電子装置に用いられるスクリーンデータ操作方法を提供することを目的とする。【解決手段】本発明のスクリーンデータ操作方法は、タッチスクリーンを有する電子装置に用いられ、タッチスクリーンに内容を表示するステップと、ユーザーがタッチスクリーンに入力するタッチ軌跡を受信するステップと、前記タッチ軌跡の中の内容選択軌跡及びコマンドスタート軌跡を識別するステップと、前記内容選択軌跡によって、前記表示内容から対象内容を選択するステップと、前記コマンドスタート軌跡によって、コマンドモードに入るステップと、を備える。【選択図】図１
2012089129.tif 000002
【特許請求の範囲】
【請求項１】
タッチスクリーンを有する電子装置に用いられるスクリーンデータ操作方法であって、
タッチスクリーンに内容を表示するステップと、
ユーザーがタッチスクリーンに入力するタッチ軌跡を受信するステップと、
前記タッチ軌跡の中の内容選択軌跡及びコマンドスタート軌跡を識別するステップと、
前記内容選択軌跡によって、前記表示内容から対象内容を選択するステップと、
前記コマンドスタート軌跡によって、コマンドモードに入るステップと、
を備えることを特徴とするスクリーンデータ操作方法。
【請求項２】
前記内容選択軌跡と前記コマンドスタート軌跡は連結し、前記内容選択軌跡の終点は前記コマンドスタート軌跡の起点であることを特徴とする請求項１に記載のスクリーンデータ操作方法。
【請求項３】
前記コマンドスタート軌跡は、閉じた図形又は閉じた図形に近似する図形であることを特徴とする請求項２に記載のスクリーンデータ操作方法。
【請求項４】
前記スクリーンデータ操作方法は、コマンドモードに入って、前記コマンドスタート軌跡の近傍に少なくとも１つのコマンドを備えるコマンドメニューを生成することを特徴とする請求項２に記載のスクリーンデータ操作方法。
【請求項５】
タッチスクリーンを有する電子装置に用いられるスクリーンデータ操作方法であって、
タッチスクリーンに内容を表示するステップと、
ユーザーがタッチスクリーンに入力するタッチ軌跡を受信するステップと、
前記タッチ軌跡の中の内容選択軌跡及び前記内容選択軌跡の終了位置を標示するために用いられる標記軌跡を識別するステップと、
前記内容選択軌跡によって、前記表示内容から対象内容を選択するステップと、
を備えることを特徴とするスクリーンデータ操作方法。
【請求項６】
前記内容選択軌跡と前記標記軌跡は連結し、前記内容選択軌跡の終点は前記標記軌跡の起点であることを特徴とする請求項５に記載のスクリーンデータ操作方法。
【請求項７】
前記標記軌跡は、閉じた図形又は閉じた図形に近似する図形であることを特徴とする請求項６に記載のスクリーンデータ操作方法。
【請求項８】
前記内容選択軌跡は、対象内容の底部に引いた横線であり、横線の上に位置する内容が選択しようとする対象内容であることを特徴とする請求項１又は２に記載のスクリーンデータ操作方法。
【請求項９】
前記内容選択軌跡は、対象内容を囲む形状であり、前記形状の内部に位置する内容が選択しようとする対象内容であることを特徴とする請求項１又は２に記載のスクリーンデータ操作方法。
【請求項１０】
前記内容選択軌跡は、対象内容の側辺に位置する縦線であり、縦線の近傍に位置する内容が選択しようとする対象内容であることを特徴とする請求項１又は２に記載のスクリーンデータ操作方法。
【請求項１１】
前記内容選択軌跡は、対象内容の側辺に位置する１つの角括弧であり、角括弧の近傍に位置する内容が選択しようとする対象内容であることを特徴とする請求項１又は２に記載のスクリーンデータ操作方法。
【請求項１２】
前記内容選択軌跡は、対象内容の前部及び後部に位置する２つの角括弧であり、２つの前記角括弧の間の内容が選択しようとする対象内容であることを特徴とする請求項１又は２に記載のスクリーンデータ操作方法。
【請求項１３】
前記内容選択軌跡が対象内容の想定した割合以上を囲んだ場合、この対象内容は選択されることを特徴とする請求項１又は２に記載のスクリーンデータ操作方法。
【発明の詳細な説明】
【技術分野】
【０００１】
本発明は、データ処理技術領域に関するものであり、特にタッチスクリーンを有する電子装置に用いられるスクリーンデータ操作方法に関するものである。
【背景技術】
【０００２】
スマートフォン、電子書籍のような携帯式電子装置は、タッチ入力機能を有するため、ユーザーはタッチペン又は手指でタッチスクリーンをタッチすることにより入力操作を実現する。ユーザーがタッチスクリーンに表示される内容をコピー/貼り付けしようとする場合、内容入力モードから内容選択モードに切り替えて、操作しようとする対象内容を選択しなければない。従来の電子装置において、タッチペン又は手指でタッチスクリーンを所定の時間ほど押圧すると、内容選択モードに入り、ユーザーはタッチスクリーンに表示される内容を選択してコピー/貼り付けることができる。
【発明の概要】
【発明が解決しようとする課題】
【０００３】
しかし、タッチスクリーンに表示される内容に対してコピー/貼り付けるごとに、所定の押圧時間を待たなければ内容選択モードに入ることができなく、ユーザーに不便をもたらす。
【０００４】
本発明の目的は、前記課題を解決することであり、タッチスクリーンを有する電子装置に用いられるスクリーンデータ操作方法を提供することである。
【課題を解決するための手段】
【０００５】
本発明に係るスクリーンデータ操作方法は、タッチスクリーンを有する電子装置に用いられ、タッチスクリーンに内容を表示するステップと、ユーザーがタッチスクリーンに入力するタッチ軌跡を受信するステップと、前記タッチ軌跡の中の内容選択軌跡及びコマンドスタート軌跡を識別するステップと、前記内容選択軌跡によって、前記表示内容から対象内容を選択するステップと、前記コマンドスタート軌跡によって、コマンドモードに入るステップと、を備える。
【０００６】
本発明に係るスクリーンデータ操作方法は、タッチスクリーンを有する電子装置に用いられ、タッチスクリーンに内容を表示するステップと、ユーザーがタッチスクリーンに入力するタッチ軌跡を受信するステップと、前記タッチ軌跡の中の内容選択軌跡及び前記内容選択軌跡の終了位置を標示するために用いられる標記軌跡を識別するステップと、前記内容選択軌跡によって、前記表示内容から対象内容を選択するステップと、を備える。
【発明の効果】
【０００７】
本発明のスクリーンデータ操作方法は、直観的なタッチコマンド識別方法を採用して、内容入力モードからコマンドモードに早く入って、選択した対象内容に対してデータ操作を行うことができる。
【図面の簡単な説明】
【０００８】
【図１】本発明の実施形態に係るスクリーンデータ操作システムの機能ブロック図である。
【図２】本発明の実施形態に係るタッチスクリーンに内容選択軌跡を入力して対象内容を選択することを示す図である。
【図３】図２に示す内容選択軌跡が選択した内容を示す図である。
【図４】本発明の実施形態に係るタッチスクリーンに四角形の内容選択軌跡を入力して１段落中の文字を選択することを示す図である。
【図５】本発明の実施形態に係るタッチスクリーンに四角形の内容選択軌跡を入力して１枚の図を選択することを示す図である。
【図６】本発明の実施形態に係るタッチスクリーンに円形の内容選択軌跡を入力して１段落中の文字を選択することを示す図である。
【図７】本発明の実施形態に係るタッチスクリーンに円形の内容選択軌跡を入力して１枚の図を選択することを示す図である。
【図８】本発明の実施形態に係るタッチスクリーンに自由な閉曲線の内容選択軌跡を入力して１段落中の文字を選択することを示す図である。
【図９】本発明の実施形態に係るタッチスクリーンに自由な閉曲線の内容選択軌跡を入力して１段落中の文字を選択することを示す図である。
【図１０】本発明の実施形態に係るタッチスクリーンに自由な閉曲線の内容選択軌跡を入力して１枚の図を選択することを示す図である。
【図１１】本発明の実施形態に係るタッチスクリーンに自由な閉曲線の内容選択軌跡を入力して１段落中の文字及び１枚の図を選択することを示す図である。
【図１２Ａ】本発明の実施形態に係るタッチスクリーンに縦線からなる内容選択軌跡を入力して１段落中の文字を選択することを示す図である。
【図１２Ｂ】本発明の実施形態に係るタッチスクリーンに縦線からなる内容選択軌跡を入力して１段落中の文字を選択することを示す図である。
【図１３Ａ】本発明の実施形態に係るタッチスクリーンに縦線からなる内容選択軌跡を入力して１枚の図を選択することを示す図である。
【図１３Ｂ】本発明の実施形態に係るタッチスクリーンに縦線からなる内容選択軌跡を入力して１枚の図を選択することを示す図である。
【図１４Ａ】本発明の実施形態に係るタッチスクリーンに１つの角括弧からなる内容選択軌跡を入力して１段落中の文字を選択することを示す図である。
【図１４Ｂ】本発明の実施形態に係るタッチスクリーンに１つの角括弧からなる内容選択軌跡を入力して１段落中の文字を選択することを示す図である。
【図１５Ａ】本発明の実施形態に係るタッチスクリーンに２つの角括弧からなる内容選択軌跡を入力して１段落中の文字を選択することを示す図である。
【図１５Ｂ】図１５Ａに示す内容選択軌跡が選択した内容を示す図である。
【図１６Ａ】本発明の実施形態に係るタッチスクリーンに２つの角括弧からなる内容選択軌跡を入力して１段落中の文字及び一枚の図を選択することを示す図である。
【図１６Ｂ】図１６Ａに示す内容選択軌跡が選択した内容を示す図である。
【図１７Ａ】本発明の実施形態に係るタッチスクリーンに４つの角からなる内容選択軌跡を入力して１段落中の文字を選択することを示す図である。
【図１７Ｂ】図１７Ａに示す内容選択軌跡が選択した内容を示す図である。
【図１８Ａ】本発明の実施形態に係るタッチスクリーンに対角に位置する２つの角からなる内容選択軌跡を入力して１段落中の文字を選択することを示す図である。
【図１８Ｂ】図１８Ａに示す内容選択軌跡が選択した内容を示す図である。
【図１９Ａ】本発明の実施形態に係るタッチスクリーンに対角に位置する２つの角からなる内容選択軌跡を入力して１段落中の文字及び一枚の図を選択することを示す図である。
【図１９Ｂ】図１９Ａに示す内容選択軌跡が選択した内容を示す図である。
【図２０】本発明の実施形態に係るユーザーが選択しようとした際の選択漏れした内容を自動的に識別して対象内容全体を選択することを示す図である。
【図２１】本発明の実施形態に係る内容選択軌跡に囲まれた対象内容の割合によって文字を選択することを示す図である。
【図２２】本発明の実施形態に係る内容選択軌跡に囲まれた対象内容の割合によってファイルを選択することを示す図である。
【図２３】本発明の実施形態に係る内容選択軌跡に囲まれた対象内容の割合によって図を選択することを示す図である。
【図２４】本発明の第一実施形態に係るスクリーンデータ操作方法のフローチャートである。
【図２５】本発明の第二実施形態に係るスクリーンデータ操作方法のフローチャートである。
【発明を実施するための形態】
【０００９】
図１は、本発明の実施形態に係るスクリーンデータ操作システムのブロック図である。前記スクリーンデータ操作システムは、タッチスクリーンを有する電子装置にインストールされ、アプリケーションプログラム内容モジュール１０、ユーザ内容モジュール２０及びコマンドモジュール３０を備える。前記スクリーンデータ操作システムは、ユーザーがタッチスクリーンに表示されるデータに対してコピー、貼り付け、削除、切り取りなどの操作を便利に行えるようにする。ユーザーは、タッチペン、手指又は他のタッチ道具で電子装置のタッチスクリーンに対してタッチ入力することにより、スクリーンデータに対する操作を完成する。
【００１０】
前記アプリケーションプログラム内容モジュール１０は、電子装置のアプリケーションプログラムからタッチスクリーンに表示しよとする内容を獲得するために用いられ、例えば、Ｇｏｏｇｌｅ  Ｍａｐから地図を獲得するか、又は電子書籍読みプログラムから電子テキスト内容を獲得する。
【００１１】
前記ユーザ内容モジュール２０は、ユーザーが入力した内容を受信して表示するために用いられ、例えば、ユーザーが電子書籍を読書する時に、電子テキストに添加した追注又は標記である。前記ユーザ内容モジュール２０は、ユーザーがタッチスクリーンに入力したタッチ軌跡を表示する。
【００１２】
前記コマンドモジュール３０は、前記スクリーンデータ操作システムのコマンドモードに入るか又は切り替えるために用いられる。コマンドモードに入ってから、前記アプリケーションプログラム内容モジュール１０又は前記ユーザ内容モジュール２０は、ユーザーが入力したコマンドを識別し、例えば、選択したテキストを削除する。一実施例において、ユーザーが１段落中のテキストをコピーしてから電子メールアプリケーションプログラムの草稿書類に貼り付けることができる。
【００１３】
図２及び図３を参照すると、図２及び図３の文字部分は、前記アプリケーションプログラム内容モジュール１０又は前記ユーザ内容モジュール２０によってタッチスクリーンに表示されるテキスト内容であり、ユーザーが入力するタッチ軌跡は、ユーザーが操作しようとする対象内容を選択するために用いられる内容選択軌跡及びコマンドモードに入るために用いられるコマンドスタート軌跡を備える。一実施例において、前記内容選択軌跡は、対象内容の底部に引いた横線であり、前記コマンドスタート軌跡は、前記内容選択軌跡が終了する位置に描いた円形又は円形に近似するパターンである。円形に近似する前記パターンは、おおざっぱな円形輪郭であればよく、必ずしも閉じた円形を要求するものではない。ユーザーが円形に近似する前記パターンを描いてから、前記スクリーンデータ操作システムは、コマンドモードに入る。前記内容選択軌跡及び前記コマンドスタート軌跡は、全てタッチスクリーンに表示されて、ユーザーが執行する操作を提示する。対象内容の底部に引いた横線は内容選択軌跡に識別されて、横線の上に位置する文字が選択され、即ち図３に示されたように点線に囲まれた文字部分であり、円形又は円形に近似するパターンはコマンドスタート軌跡に識別されて、コマンドモードに入る。コマンドスタート軌跡は、円形又は円形に近似するパターンに限定されるものではなく、いかなる閉じた図形に近似するパターンは、全てコマンドスタート軌跡の識別対象に設定することができる。ユーザーは、内容選択軌跡及びコマンドスタート軌跡を含むタッチ入力によって、いかなるアプリケーションプログラムからも対象内容を選択してコマンドモードに入ることができる。一実施例において、コマンドモードに入ってから、コマンドスタート軌跡の近傍に少なくとも１つのコマンドを含むコマンドメニューが出現する。前記コマンドは、コピー、貼り付け、削除又は切り取りなどの操作である。
【００１４】
発明内容を理解し易く説明するために、以下、円形又は円形に近似するパターンをコマンドスタート軌跡とするが、もちろん、他のパターンをコマンドスタート軌跡とすることができる。
【００１５】
図４及び図５に示されたように、内容選択軌跡は、四角形又は四角形に近似する図形であり、ユーザーはタッチスクリーンに四角形又は四角形に近似する軌跡を描いてから、円形又は円形に近似する図形で軌跡の結尾とすると、コマンドモードに入る。図４において、タッチスクリーンに四角形又は四角形に近似する図形を描いて１段落中の文字を選択し、図５において、タッチスクリーンに四角形又は四角形に近似する図形を描いて１枚の図を選択する。
【００１６】
図６及び図７に示されたように、内容選択軌跡は、円形又は円形に近似する図形であり、ユーザーはタッチスクリーンに円形又は円形に近似する軌跡を描いてから、円形又は円形に近似する図形で軌跡の結尾とすると、コマンドモードに入る。図６において、タッチスクリーンに円形又は円形に近似する図形を描いて１段落中の文字を選択し、図７において、タッチスクリーンに円形又は円形に近似する図形を描いて１枚の図を選択する。
【００１７】
図８〜図１１に示したように、内容選択軌跡は、自由な閉曲線であることができ、ユーザーはタッチスクリーンに自由な閉曲線の軌跡を描いてから、円形又は円形に近似する図形で軌跡の結尾とすると、コマンドモードに入る。前記自由な閉曲線の内部に位置する文字及び/又は図は、選択された対象内容であるが、対象内容は文字及び図だけに限定されるものではない。  
【００１８】
図４〜図１１に示されたように、内容選択軌跡は、対象内容を囲む形状であり、前記形状の内部に位置する内容は、選択しようとする対象内容である。
【００１９】
図１２Ａ及び図１２Ｂに示されたように、大きい範囲の内容を選択するために、内容選択軌跡は対象内容の側辺に位置する縦線であることができる。ユーザーは、タッチスクリーンに縦線の軌跡を描いてから、円形又は円形に近似する図形で軌跡の結尾とすると、コマンドモードに入る。縦線の近傍に位置する内容は、選択された対象内容であり、図１２Ａ及び図１２Ｂにおいて、別々に対象内容の右側及び左側に縦線の軌跡を描いて、点線で囲まれた文字部分が選択された対象内容となる。
【００２０】
図１３Ａ及び図１３Ｂに示されたように、別々に対象内容の右側及び左側に縦線の軌跡を描いて１枚の図を選択し、点線で囲まれた図が選択された対象内容となる。
【００２１】
図１４Ａ及び図１４Ｂに示されたように、別々に対象内容の右側及び左側に角括弧の軌跡を描いて１段落中の文字を選択し、点線で囲まれた文字部分が選択された対象内容となる。
【００２２】
図１５Ａ及び図１５Ｂに示されたように、対象内容の前部及び後部にそれぞれ１つの角括弧の軌跡を描いて１段落中の文字を選択し、即ち２つの角括弧の間の１段落中の文字が選択され、点線で囲まれた文字部分が選択された対象内容となる。
【００２３】
図１６Ａ及び図１６Ｂに示されたように、２つの角括弧の軌跡を描いて１段落中の文字及び１枚の図を選択し、点線で囲まれた文字部分及び図が選択された対象内容となる。
【００２４】
図１７Ａ及び図１７Ｂに示されたように、対象内容の四角に４つの角の軌跡を描いて１段落中の文字を選択し、点線で囲まれた文字部分は選択された対象内容である。
【００２５】
図１８Ａ及び図１８Ｂに示されたように、対象内容の対角に２つの角の軌跡を描いて１段落中の文字を選択し、点線で囲まれた文字部分が選択された対象内容となる。
【００２６】
図１９Ａ及び図１９Ｂに示されたように、対象内容の対角に２つの角の軌跡を描いて１段落中の文字及び１枚の図を選択し、点線で囲まれた文字部分及び図が選択された対象内容となる。
【００２７】
図２０に示されたように、システムはユーザーが選択しようとする内容を自動的に識別して、ユーザーが選択しようとする内容全体を選択する。図２０において、ユーザーが「ｔｉｍｅ−ｃｏｎｓｕｍｉｎｇ」を選択する場合、ユーザーが描いた内容選択軌跡は字母「ｉ」の一点を選択漏れしたが、字母「ｉ」の一点は「ｔｉｍｅ−ｃｏｎｓｕｍｉｎｇ」の一部であるので、システムはユーザーを助けて自動的に「ｔｉｍｅ−ｃｏｎｓｕｍｉｎｇ」を選択し、使用上の利便性を有することになる。
【００２８】
図２１〜図２３に示されたように、ユーザーが描いた内容選択軌跡が対象内容の想定した割合以上を囲んだ場合、この対象内容は選択される。前記想定した割合は、５０パーセントであることができる。図２１において、内容選択軌跡が「ｄｉｓｐｌａｙ  ｄｏｅｓ」の５０パーセント以上を囲んだので、「ｄｉｓｐｌａｙ  ｄｏｅｓ」は選択される。図２２において、内容選択軌跡がＦｉｌｅ１の５０パーセント以上を囲んだので、Ｆｉｌｅ１は選択されるが、内容選択軌跡がＦｉｌｅ２の５０パーセント以下を囲んだので、Ｆｉｌｅ２は選択されない。図２３において、内容選択軌跡が三角形全体及び曲線の５０パーセント以下を囲んだので、三角形は選択されるが、曲線は選択されない。
【００２９】
図２４は、本発明の第一実施形態に係るスクリーンデータ操作方法のフローチャートであり、以下のステップを備える。
ステップＳ１０１：タッチスクリーンに内容を表示する。
ステップＳ１０２：ユーザーがタッチスクリーンに入力するタッチ軌跡を受信する。
ステップＳ１０３：前記タッチ軌跡の中の内容選択軌跡及びコマンドスタート軌跡を識別する。前記内容選択軌跡と前記コマンドスタート軌跡は連結し、前記内容選択軌跡の終点は前記コマンドスタート軌跡の起点である。前記コマンドスタート軌跡は、閉じた図形又は閉じた図形に近似する図形である。
ステップＳ１０４：前記内容選択軌跡によって、前記表示内容から対象内容を選択する。
ステップＳ１０５：前記コマンドスタート軌跡によって、コマンドモードに入る。改善された実施例において、コマンドモードに入って、コマンドスタート軌跡の近傍に少なくとも１つのコマンドを備えるコマンドメニューを生成する。前記コマンドは、コピー、削除、切り取り又は貼り付けなどの操作である。
【００３０】
図２５は、本発明の第二実施形態に係るスクリーンデータ操作方法のフローチャートであり、以下のステップを備える。
ステップＳ２０１：タッチスクリーンに内容を表示する。
ステップＳ２０２：ユーザーがタッチスクリーンに入力するタッチ軌跡を受信する。
ステップＳ２０３：前記タッチ軌跡の中の内容選択軌跡及び標記軌跡を識別する。前記標記軌跡は、前記内容選択軌跡の終了位置を標示するために用いられる。前記内容選択軌跡と前記標記軌跡は連結し、前記内容選択軌跡の終点は前記標記軌跡の起点である。前記標記軌跡は、閉じた図形又は閉じた図形に近似する図形である。前記標記軌跡は、コマンドスタート軌跡又は他の形式の軌跡である。
ステップＳ２０４：前記内容選択軌跡によって、前記表示内容から対象内容を選択する。
【００３１】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００３２】
１０  アプリケーションプログラム内容モジュール
２０  ユーザ内容モジュール
３０  コマンドモジュール
【図１】
2012089129.tif 000003
【図２】
2012089129.tif 000004
【図３】
2012089129.tif 000005
【図４】
2012089129.tif 000006
【図５】
2012089129.tif 000007
【図６】
2012089129.tif 000008
【図７】
2012089129.tif 000009
【図８】
2012089129.tif 000010
【図９】
2012089129.tif 000011
【図１０】
2012089129.tif 000012
【図１１】
2012089129.tif 000013
【図１２Ａ】
2012089129.tif 000014
【図１２Ｂ】
2012089129.tif 000015
【図１３Ａ】
2012089129.tif 000016
【図１３Ｂ】
2012089129.tif 000017
【図１４Ａ】
2012089129.tif 000018
【図１４Ｂ】
2012089129.tif 000019
【図１５Ａ】
2012089129.tif 000020
【図１５Ｂ】
2012089129.tif 000021
【図１６Ａ】
2012089129.tif 000022
【図１６Ｂ】
2012089129.tif 000023
【図１７Ａ】
2012089129.tif 000024
【図１７Ｂ】
2012089129.tif 000025
【図１８Ａ】
2012089129.tif 000026
【図１８Ｂ】
2012089129.tif 000027
【図１９Ａ】
2012089129.tif 000028
【図１９Ｂ】
2012089129.tif 000029
【図２０】
2012089129.tif 000030
【図２１】
2012089129.tif 000031
【図２２】
2012089129.tif 000032
【図２３】
2012089129.tif 000033
【図２４】
2012089129.tif 000034
【図２５】
2012089129.tif 000035